(57)【要約】【課題】モータの固定の安定性が向上し、しかも、両軸タイプ（２ブロワタイプ）に適用可能なブロワモータ支持構造を提供することにある。【解決手段】ブロワモータ支持構造は、モータ１と、モータ１の回転軸の両端側にそれぞれ取り付けられた２個のファン６Ｒ，６Ｌと、モータ１の円筒形状の外筒１ａに配置されたリング状の防振ゴム２，３と、モータ１の外筒１ａを収納する一対の固定用ケース４，５とを備えている。一対の固定用ケース４，５を用いて、そのケースの内側に防振ゴム２，３を介してモータ１の外筒１ａを挟み込むことによりモータ１を保持固定している。【選択図】  図１
2004262286.tif 000002
【特許請求の範囲】
【請求項１】
モータと、
このモータの回転軸の両端側にそれぞれ取り付けられた２個のファンと、
上記モータの円筒形状の外筒に配置されたリング状の防振ゴムと、
上記モータの外筒を収納する一対の固定用ケースとを備え、
上記一対の固定用ケースを用いて、そのケースの内側に上記防振ゴムを介して上記モータの外筒を挟み込むことにより上記モータを保持固定することを特徴とするブロワモータ支持構造。
【請求項２】
請求項１記載のブロワモータ支持構造において、
上記防振ゴムは、上記モータの軸方向に複数に分割配置され、上記モータの外筒と上記ケース間に契合していることを特徴とするブロワモータ支持構造。
【請求項３】
請求項１記載のブロワモータ支持構造において、
上記モータの外筒は、上記防振ゴムの取り付け位置の少なくとも１箇所の外筒部分に外筒貫通穴が設けられており、この外筒貫通穴の位置に対応する防振ゴムには、内部に貫通穴を有するゴム凸部を具備し上記外筒貫通穴に上記ゴム凸部が挿入勘合されるとともに、
上記ケース側の上記防振ゴム保持部には、上記ゴム凸部に対応する少なくとも１箇所にはピン形状のケース凸部を有し、このケース凸部が上記ゴム凸部の貫通穴に勘合挿入されていることを特徴とするブロワモータ支持構造。
【請求項４】
請求項１記載のブロワモータ支持構造において、
上記一対の固定用ケースは、それぞれ、内周側に形成された複数のケース溝部を有し、
このケース溝部には、円周方向にケースリブが設けられ、
上記ケース溝部の中に防振ゴムを配置し、上記一対の固定用ケースを固定することにより、上記ケースリブが上記防振ゴムを圧縮することを特徴とするブロワモータ支持構造。
【請求項５】
請求項１記載のブロワモータ支持構造において、
上記一対の固定用ケースは、それぞれ、上記モータの軸方向の片側にケースストッパ部を有し、モータの軸方向の動きを規制することを特徴とするブロワモータ支持構造。
【発明の詳細な説明】
【０００１】
【発明の属する技術分野】
本発明は、ブロワモータ支持構造に係り、特に、車両用エアコンに用いる両軸タイプ（２ブロワタイプ）に好適なブロワモータ支持構造に関する。
【０００２】
【従来の技術】
従来のブロワモータ支持構造の取り付け構造としては、例えば、特開２００２−１３７５５号公報に記載のように、ケーシングの後面に取り付けられた補助鋼鈑に、モータがボルトによって固定され、補助鋼鈑とモータとの間には、防振ゴムが締結される構成が知られている。モータの軸には、１個のインペラーが取り付けられる。
【０００３】
【特許文献１】
特開２００２−１３７５５号公報
【０００４】
【発明が解決しようとする課題】
しかしながら、特開２００２−１３７５５号公報に記載されたブロワモータ支持構造の構造は、モータの側面（モータの外観形状が円筒形として、円筒面ではなく、端部の面）をボルトで補助鋼板に取り付ける構成であるため、固定の安定性が低く、モータの回転・振動等によって、取付が緩むという問題があった。また、特開２００２−１３７５５号公報に記載されたブロワモータ支持構造の構造は、モータの回転軸の両端側にそれぞれファンが取り付けられる両軸タイプ（２ブロワタイプ）には適用しにくいという問題もあった。すなわち、両軸タイプ（２ブロワタイプ）のブロワモータ支持構造では、モータの回転軸の両側にファンが取り付けられるため、モータの側面からボルトで固定するにはスペース的な制約があり、実質的に側面からのボルト固定は困難である。
【０００５】
本発明の目的は、モータの固定の安定性が向上し、しかも、両軸タイプ（２ブロワタイプ）に適用可能なブロワモータ支持構造を提供することにある。
【０００６】
【課題を解決するための手段】
（１）上記目的を達成するために、本発明は、モータと、このモータの回転軸の両端側にそれぞれ取り付けられた２個のファンと、上記モータの円筒形状の外筒に配置されたリング状の防振ゴムと、上記モータの外筒を収納する一対の固定用ケースとを備え、上記一対の固定用ケースを用いて、そのケースの内側に上記防振ゴムを介して上記モータの外筒を挟み込むことにより上記モータを保持固定するようにしたものである。
かかる構成により、モータの固定の安定性が向上し、しかも、両軸タイプ（２ブロワタイプ）に適用可能となる。
【０００７】
（２）上記（１）において、好ましくは、上記防振ゴムは、上記モータの軸方向に複数に分割配置され、上記モータの外筒と上記ケース間に契合したものである。
【０００８】
（３）上記（１）において、好ましくは、上記モータの外筒は、上記防振ゴムの取り付け位置の少なくとも１箇所の外筒部分に外筒貫通穴が設けられており、この外筒貫通穴の位置に対応する防振ゴムには、内部に貫通穴を有するゴム凸部を具備し上記外筒貫通穴に上記ゴム凸部が挿入勘合されるとともに、上記ケース側の上記防振ゴム保持部には、上記ゴム凸部に対応する少なくとも１箇所にはピン形状のケース凸部を有し、このケース凸部が上記ゴム凸部の貫通穴に勘合挿入されるようにしたものである。
【０００９】
（４）上記（１）において、好ましくは、上記一対の固定用ケースは、それぞれ、内周側に形成された複数のケース溝部を有し、このケース溝部には、円周方向にケースリブが設けられ、上記ケース溝部の中に防振ゴムを配置し、上記一対の固定用ケースを固定することにより、上記ケースリブが上記防振ゴムを圧縮するようにしたものである。
【００１０】
（５）上記（１）において、好ましくは、上記一対の固定用ケースは、それぞれ、上記モータの軸方向の片側にケースストッパ部を有し、モータの軸方向の動きを規制するようにしたものである。
【００１１】
【発明の実施の形態】
以下、図１〜図３を用いて、本発明の一実施形態によるブロワモータ支持構造の構成について説明する。
最初に、図１を用いて、本実施形態によるブロワモータ支持構造の全体構成について説明する。
図１は、本発明の一実施形態によるブロワモータ支持構造の全体構成を示す正面図である。
【００１２】
本実施形態によるブロワモータ支持構造は、モータ１と、右フアン６Ｒと左フアン６Ｌの２個のファンと、上ケース４と下ケース５からなる一対のケースとから構成されている。右フアン６Ｒと左フアン６Ｌとは、それぞれ、モータ１の回転軸の両端側に固定されている。上ケース４と下ケース５は、複数のケースボルト８及びケースナット９によって固定されている。
【００１３】
本実施形態によるブロワモータ支持構造は、言わば、モナカのような構成となっている。モナカの皮に相当するのが、上ケース４と下ケース５である。上ケース４と下ケース５とは、それぞれ、モータ１に対するモータケースと、右フアン６Ｒ及び左フアン６Ｌの２個のファンに対するブロワケースとが一体成形された形状である。上ケース４と下ケース５とを合わせることにより、その内部に空洞部が形成される。モナカの餡に相当するのが、モータ１と、右フアン６Ｒと左フアン６Ｌの２個のファンである。上ケース４と下ケース５とを合わせた際に形成される内部の空洞部に、モータ１と、右フアン６Ｒと左フアン６Ｌの２個のファンが収納され、固定される。ここで、図３を用いて後述するように、上ケース４及び下ケース５と、モータ１との間には、防振ゴムが介在し、モータ１の円筒形状の外筒を上ケース４及び下ケース５でサンドイッチする（挟み込む）ことにより、モータ１を防振ゴムを介して、ケース４，５によって保持している。
【００１４】
上ケース４及び下ケース５の一部を構成するブロワケースには、吹き出し口が形成されており、モータ１に電圧を印加すると、モータ１の左右に取り付けられている右フアン６Ｒ及び左フアン６Ｌにより送風される。
【００１５】
次に、図２を用いて、本実施形態によるブロワモータ支持構造に用いるファンモータの構成について説明する。
図２は、本発明の一実施形態によるブロワモータ支持構造に用いるファンモータの構成を示す正面図である。なお、図１と同一符号は、同一部分を示している。
【００１６】
モータ１は、モータ外筒１ａと、モータカバー１ｂと、モータシャフト１ｄとから構成されている。モータ外筒１ａは、円筒形状であり、有底である。モータ外筒１ａの底の中央部分には、モータシャフト１ｄが貫通する穴が形成されている。モータカバー１ｂは、円盤状であり、その中央には、モータシャフト１ｄが貫通する穴が形成されている。
【００１７】
モータ１の円筒形状のモータ外筒１ａには、２個のリング状（円環状）の防振ゴム２及び防振ゴム３が、モータ１の軸方向に複数に分割配置されている。防振ゴム２及び防振ゴム３は、モータ外筒１ａと上ケース４及び下ケース５の間に介在し、防振の役割を果たしている。
【００１８】
モータシャフト１ｄには、右フアン６Ｒと左フアン６Ｌが、左右それぞれフアンナット７により締結されている。
【００１９】
次に、図３を用いて、本実施形態によるブロワモータ支持構造におけるケースとモータの防振固定構造について説明する。
図３は、本発明の一実施形態によるブロワモータ支持構造におけるケースとモータの防振固定構造を示す断面図である。なお、図１，図２と同一符号は、同一部分を示している。
【００２０】
モータ外筒１ａには、リング状の防振ゴム２と防振ゴム３がモータの軸方向に複数に分割配置されている。リング状の防振ゴム２と防振ゴム３の内径は、それぞれ、モータ外筒１ａの外径より小さく設計されているので、モータ外筒１ａの外側に遊びが無くシックリ、正確に配置される。
【００２１】
下ケース５と、上ケース４の内周面には、それぞれ、防振ゴム２，３の取り付け位置に対応して、リング状の複数のケース溝部４ａを有している。下ケース５と上ケース４の間にモータ１を配置した際、溝部４ａには、防振ゴム２と防振ゴム３がそれぞれ配置される。ケース溝部４ａには、回転軸１ｄの方向に突出したケースリブ４ｂが円周方向に設けられている。下ケース５と上ケース４の間にモータ１を配置し、図１に示したように、複数のケースボルト８及びケースナット９によって締め付け固定することにより、ケースリブ４ｂが防振ゴム２，３に食い込み、防振ゴム２，３をそれぞれ小さな力で圧縮する。従って、モータ１は、上ケース４と下ケース５からは完全に防振ゴム２，３で浮かされることになり、振動等を吸収できる。しかも、モータ１は、ケース４，５によって、モータ１の円筒形状の外筒部の位置で複数箇所（図示の例では、２箇所）で固定されるため、モータ１の側面から固定する場合に比べて、固定の安定性が向上する。したがって、モータの回転振動等によって、モータの固定が緩むことがなくなる。
【００２２】
下ケース５は、ケース凸部４ｄを有している。ケース凸部４ｄは、下ケース５の内周面から回転軸１ｄの方向に向けて半径方向に突出している円柱形状の突起である。一方、モータ１の外筒１ａには、外筒穴１ｃが設けられている。外筒穴１ｃに防振ゴム３に設けられたゴム凸部３ａが挿入される。ゴム凸部３ａには貫通穴３ｂが設けられている。下ケース５のケース凸部４ｄは、防振ゴム３の貫通穴３ｂに挿入されることにより、モータ１の外筒穴１ｃまで挿入される。ケース凸部４ｄは、モータ１の回転方向の動きを規制している。下ケース５、上ケース４には、それぞれ片側（図示の左側）に、ケースストッパ部４ｃを有し、モータの軸方向の動きを規制している。
【００２３】
以上説明したように、本実施形態によれば、モータの円筒形状の外筒を、上ケースと下ケースで直接固定し、その間に防振ゴムが介在してているため、固定の安定性が向上する。モータは、一対のケースからは完全に防振ゴムで浮かされることになり、振動等を吸収でき、防振性も向上する。また、１対のケースの間にモータを挟み込む構造であるため、簡単にモータを固定できる。
【００２４】
また、ケースにはケースリブが設けられ、ケースボルトとケースナットで締め付けるときに、小さな締付け力で容易に防振ゴムを圧縮でき、防振ゴムの取り付け固定性を向上できる。
【００２５】
さらに、下ケースに設けられたケース凸部が、防振ゴムの貫通穴を介して、モータ外筒に設けられた外筒穴に挿入されるので、モータの回転方向の移動を規制することができる。
【００２６】
また、さらに、ケースの片側の端部に設けられたケースストッパ部により、モータの軸方向移動を規制できる。
【００２７】
さらに、ゴム凸部を用いることにより、軸方向のみでなく、モータ円周方向の位置決めが確実に行える。したがって、位置決め等に際して、専用の治具を用いることなく、組み付けコストを低減できる。
【００２８】
【発明の効果】
本発明によれば、モータの固定の安定性が向上し、しかも、両軸タイプ（２ブロワタイプ）に適用可能となる。
【図面の簡単な説明】
【図１】本発明の一実施形態によるブロワモータ支持構造の全体構成を示す正面図である。
【図２】本発明の一実施形態によるブロワモータ支持構造に用いるファンモータの構成を示す正面図である。
【図３】本発明の一実施形態によるブロワモータ支持構造におけるケースとモータの防振固定構造を示す断面図である。
【符号の説明】
１…モータ
１ａ…モータ外筒
１ｂ…モータカバー
１ｃ…外筒穴
１ｄ…シャフト
２，３…防振ゴム
３ａ…ゴム凸部
３ｂ…貫通穴
４…上ケース
４ａ…ケース溝部
４ｂ…ケースリブ
４ｃ…ケースストッパ部
４ｄ…ケース穴部
５…下ケース
６Ｒ…右フアン
６Ｌ…左フアン
７…フアンナット
８…ケースボルト
９…ケースナット
【図１】
2004262286.tif 000003
【図２】
2004262286.tif 000004
【図３】
2004262286.tif 000005